(57)【要約】画面キーボードはタッチパネルを配置した表示パネル上に商品キーを配列した操作画面を表示し、商品キーの操作により商品登録処理を行わせる。画面遷移制御部は、画面キーボードの表示パネルにメイン操作画面を表示させると共に画面選択キーを表示させ、画面選択キーの操作に応じてメイン操作画面から他の操作画面に切替えた後に、一定時間経過等の所定の条件の成立を認識してメイン操作画面に自動的に遷移させる。
2005006270.tif 000002
【特許請求の範囲】
【請求項１】
タッチパネルを配置した表示パネル上に商品キーを配列した操作画面を表示し、前記商品キーの操作により商品登録処理を行わせる画面キーボードと、
前記画面キーボードの表示パネルに、メイン操作画面を表示させると共に画面選択キーを表示させ、前記画面選択キーの操作に応じて前記メイン操作画面から他の操作画面に切替えた後に、所定の条件の成立を認識して前記メイン操作画面に遷移させる画面遷移制御部と、
を備えたことを特徴とする商品登録装置。
【請求項２】
請求の範囲１の商品登録装置に於いて、前記画面遷移制御部は、商品のバーコードを読取るスキャナによる商品登録を認識して切替えた後の操作画面から前記メイン操作画面に遷移させることを特徴とする商品登録装置。
【請求項３】
請求の範囲１の商品登録装置に於いて、前記画面遷移制御部は、切替え後の操作画面における商品キーの操作を認識して切替えた後の操作画面から前記メイン操作画面に遷移させることを特徴とする商品登録装置。
【請求項４】
請求の範囲１の商品登録装置に於いて、前記画面遷移制御部は、前記メイン操作画面から他の操作画面に切替えた時点からの経過時間を監視し、商品キーの操作を認識した場合は前記経過時間をリセットして最初から経過時間の監視を開始し、商品キーの操作なしに所定時間の経過を認識した場合に前記メイン操作画面に遷移させることを特徴とする商品登録装置。
【請求項５】
請求の範囲４の商品登録装置に於いて、前記画面遷移制御部は、更に前記経過時間の監視中に前記画面キーボードに対し別途設けられた物理キーボードによるキー操作を認識した際に前記メイン操作画面に遷移させることを特徴とする商品登録装置。
【請求項６】
請求の範囲５の商品登録装置に於いて、前記画面遷移制御部は、前記物理キーボードによる個数キー、値引キー又は修正キーの操作を認識した際に前記メイン操作画面に遷移させることを特徴とする商品登録装置。
【請求項７】
請求の範囲１の商品登録装置に於いて、前記画面遷移制御部は、商品のバーコードを読取るスキャナに装着したセンサによるチェッカーの非検出を認識して前記メイン操作画面に遷移させることを特徴とする商品登録装置。
【請求項８】
請求の範囲１の商品登録装置に於いて、前記画面遷移制御部は、登録の済んだ商品のかごへの移しをセンサにより検出して前記メイン操作画面に遷移させることを特徴とする商品登録装置。
【請求項９】
請求の範囲１の商品登録装置に於いて、前記画面遷移制御部は、商品を収納したかごが載置されるレーンに配置された荷重センサによるかごの重量変化を検出して前記メイン操作画面に遷移させることを特徴とする商品登録装置。
【請求項１０】
タッチパネルを配置した表示パネル上に商品キーを配列した操作画面を表示し、前記商品キーの操作により商品登録処理を行わせる画面キーボードを備えた商品登録制御方法に於いて、
タッチパネルを配置した画面キーボードの表示パネルに、メイン操作画面を表示させると共に画面選択キーを表示させる初期表示ステップと、
前記画面選択キーの操作に応じて前記メイン操作画面から他の操作画面に切替える画面切替ステップと、
他の操作画面に切替えた後に、所定の条件の成立を認識して前記メイン操作画面に遷移させる初期画面遷移ステップと、
を備えたことを特徴とする商品登録制御方法。
【請求項１１】
請求の範囲１０の商品登録制御方法に於いて、前記画面遷移ステップは、前記メイン操作画面から他の操作画面に切替えた時点からの経過時間を監視し、商品キーの操作を認識した場合は前記経過時間をリセットして最初から経過時間の監視を開始し、商品キーの操作なしに所定時間の経過を認識した場合に前記メイン操作画面に遷移させることを特徴とする商品登録制御方法。
【請求項１２】
請求の範囲１１の商品登録制御方法に於いて、前記画面遷移制御部は、更に前記経過時間の監視中に前記画面キーボードに対し別途設けられた物理キーボードによるキー操作を認識した際に前記メイン操作画面に遷移させることを特徴とする商品登録制御方法。
【請求項１３】
タッチパネルを配置した表示パネル上に商品キーを配列した操作画面を表示し、前記商品キーの操作により商品登録処理を行わせる画面キーボードを備えた商品登録装置のコンピュータに、
タッチパネルを配置した画面キーボードの表示パネルに、予め定めたメイン操作画面を表示させると共に画面選択キーを表示させる初期表示ステップと、
前記画面選択キーの操作に応じて前記メイン操作画面から他の操作画面に切替える画面切替ステップと、
他の操作画面に切替えた後に、所定の条件の成立を認識して前記メイン操作画面に遷移させる初期画面遷移ステップと、
を実行させることを特徴とするプログラム。
【請求項１４】
請求の範囲１３のプログラムに於いて、前記画面遷移ステップは、前記メイン操作画面から他の操作画面に切替えた時点からの経過時間を監視し、商品キーの操作を認識した場合は前記経過時間をリセットして最初から経過時間の監視を開始し、商品キーの操作なしに所定時間の経過を認識した場合に前記メイン操作画面に遷移させることを特徴とするプログラム。
【請求項１５】
請求の範囲１４のプログラムに於いて、前記画面遷移制御部は、更に前記経過時間の監視中に前記画面キーボードに対し別途設けられた物理キーボードによるキー操作を認識した際に前記メイン操作画面に遷移させることを特徴とするプログラム。
【発明の詳細な説明】
【技術分野】  本発明は、タッチパネルを備えた表示パネルの画面キーボードを使用して商品登録を行うＰＯＳシステムで使用する商品登録装置、商品登録制御方法及びプログラムに関し、特に、表示パネルの操作画面を切替えながら商品登録を行う商品登録装置、商品登録制御方法及びプログラムに関する。
【背景技術】  従来、スーパーマーケット等で使用されているＰＯＳシステムは、キャッシュレジスタ付きのＰＯＳ本体装置に対し、バーコード読取り用のスキャナ、カードリーダ、画面キーボードとして使用するタッチパネル付きのＬＣＤパネル、キーボード等を備えたＰＯＳデバイスユニットを商品のチェックアウトレーンに分離配置している。チェックアウトレーンに配置されたＰＯＳデバイスユニットは、商品のバーコードをスキャナで読み取り、個数をテンキーで入力して計算処理を行っている。また商品にバーコードが付かない場合には、画面キーを操作して単価を出し、テンキーで個数を入力して計算処理を行っている。
このような従来のＰＯＳシステムにあっては、商品キーが配列されたタッチパネル付き画面キーボードを用いて商品登録する場合、通常、初期状態で表示されるメイン操作画面（デフォルト操作画面）に、使用頻度の高い商品名を表示した商品キーを配列するようにしている。また商品数が多くなった場合には、複数の操作画面を用意し、画面選択キーを押すことによって操作画面を切り替えるようにしている。
【特許文献１】      特開平５−１４３８５９号公報
しかしながら、タッチパネル付きの表示画面により画面キーボードを用いた商品登録にあっては、商品を登録するためにメイン操作画面を別の操作画面に切替えて商品登録を行った際に、次に登録する商品の商品キーがメイン操作画面にあるときは、メイン操作画面に戻す画面選択操作を必要とする。このためメイン操作画面にない商品を登録する際には、メイン操作画面から別の操作画面に切替える操作と元のメイン操作画面に戻す操作とを必要とし、その分、登録作業に手間と時間がかかる。
また商品の登録作業は、商品にバーコードが付いていればスキャナ読取りで商品登録を行い、バーコードが付いていなければ画面キーボードのキー操作により商品登録を行っており、スキャナ読取りとキー操作が混在している。このためメイン操作画面から別の操作画面に切替えて商品登録を行った後に、次の商品はスキャナ読取りで登録し、再び操作画面に戻って商品登録をすることになる。しかし、このとき操作画面は切替えた操作画面のままであり、まずメイン操作画面に戻してから商品キーによると商品登録が必要であり、画面切替え操作が入る分、商品キーによる登録操作が１クッション遅れることとなり、商品登録のキー操作のリズムが乱れ、その分、操作がしづらいという問題がある。
【発明の開示】
本発明は、メイン操作画面以外の操作画面に切替えて商品キーの操作により商品登録を行った際に、キー操作を必要とすることなくメイン操作画面に遷移させて使用頻度の高いメイン操作画面による商品登録を行い易くする商品登録装置、商品登録制御方法及びプログラムを提供することを目的とする。
本発明はＰＯＳシステムで使用される商品登録装置を提供する。この商品登録装置は、タッチパネルを配置した表示パネル上に商品キーを配列した操作画面を表示し、商品キーの操作により商品登録処理を行わせる画面キーボードと、画面キーボードの表示パネルに、メイン操作画面を表示させると共に画面選択キーを表示させ、画面選択キーの操作に応じてメイン操作画面から他の操作画面に切替えた後に、所定の条件の成立を認識してメイン操作画面に遷移させる画面遷移制御部とを備えたことを特徴とする。
このため本発明の商品登録装置によれば、メイン操作画面から別の操作画面に切替えて商品登録を行った場合、所定の条件が成立すると、キー操作を必要とすることなくメイン操作画面に戻る画面遷移制御が自動的に行われ、メイン操作画面に戻す操作を必要とすることなく、商品登録のための操作に集中でき、操作画面の切替えを伴う商品登録を迅速に効率良く行うことができる。
画面遷移制御部は、メイン操作画面に遷移させる条件成立の認識として、商品のバーコードを読取るスキャナによる商品登録を認識してメイン操作画面に遷移させるようにしても良い。このためスキャナによる商品登録から画面キーボードによる商品登録に戻ると、このとき必ず使用頻度の高いメイン操作画面となっており、画面キーボードによる商品登録が効率良くできる。
画面遷移制御部は、メイン操作画面に遷移させる条件成立の認識として、切替え後の操作画面における商品キーの操作を認識して切替えた後の操作画面からメイン操作画面に遷移させる。これはメイン操作画面以外の画面で商品キーの操作により商品登録が済むと、次はメイン操作画面での登録操作となる確立が高いことから、商品キーの操作でメイン操作画面に遷移させ、次の商品登録に備える。
画面遷移制御部は、メイン操作画面に遷移させる条件成立の認識として、メイン操作画面から他の操作画面に切替えた時点からの経過時間を監視し、商品キーの操作を認識した場合は経過時間をリセットして最初から経過時間の監視を開始し、商品キーの操作なしに所定時間の経過を認識した場合にメイン操作画面に遷移させる。このように切替え後の経過時間を監視し、効率的な操作を可能とする所定の閾値時間の経過でメイン操作画面に戻るため、メイン画面に戻す操作を意識せずに、画面キーボードを使用して効率良く商品登録することができる。
画面遷移制御部は、経過時間の監視によるメイン操作画面への遷移制御に加え、更に経過時間の監視中に画面キーボードに対し別途設けられた物理キーボードによるキー操作を認識した際にメイン操作画面に遷移させる。このため経過時間が閾値時間に満たなくとも、特定の物理キーの操作でメイン操作画面に遷移させて次の商品登録に備える。例えば物理キーボードによる個数キー、値引キー又は修正キーの操作を認識した際にメイン操作画面に遷移させる。
画面遷移制御部は、商品のバーコードを読取るスキャナに装着したセンサによるチェッカーの非検出を認識して前記メイン操作画面に遷移させてもよい。これはチェッカーが商品登録の際にかごから商品を取り出して別のかごに移しており、このときのスキャナの前からかごの位置に移動するチェッカーの体の動きをセンサで検出し、チェッカーの非検出を認識したときにメイン操作画面へ画面遷移させる。
画面遷移制御部は、登録の済んだ商品をかごへの移しをセンサにより検出してメイン操作画面に遷移させても良い。画面遷移制御部は、商品を収納したかごが載置されるレーンに配置された荷重センサによるかごの重量変化を検出してメイン操作画面に遷移させても良い。
本発明は、タッチパネルを配置した表示パネル上に商品キーを配列した操作画面を表示し、商品キーの操作により商品登録処理を行わせる画面キーボードを備えた商品登録制御方法を提供する。この商品登録制御方法は、
タッチパネルを配置した画面キーボードの表示パネルに、メイン操作画面を表示させると共に画面選択キーを表示させる初期表示ステップと、
画面選択キーの操作に応じてメイン操作画面から他の操作画面に切替える画面切替ステップと、
他の操作画面に切替えた後に、所定の条件の成立を認識して前記メイン操作画面に遷移させる初期画面遷移ステップと、
を備えたことを特徴とする。
ここで画面遷移ステップは、メイン操作画面から他の操作画面に切替えた時点からの経過時間を監視し、商品キーの操作を認識した場合は経過時間をリセットして最初から経過時間の監視を開始し、商品キーの操作なしに所定時間の経過を認識した場合にメイン操作画面に遷移させる。画面遷移制御部は、更に経過時間の監視中に画面キーボードに対し別途設けられた物理キーボードによるキー操作を認識した際にメイン操作画面に遷移させる。
本発明は、タッチパネルを配置した表示パネル上に商品キーを配列した操作画面を表示し、商品キーの操作により商品登録処理を行わせる画面キーボードを備えた商品登録装置のコンピュータで実行されるプログラムを提供する。このプログラムは、コンピュータに、
タッチパネルを配置した画面キーボードの表示パネルに、予め定めたメイン操作画面を表示させると共に画面選択キーを表示させる初期表示ステップと、
画面選択キーの操作に応じてメイン操作画面から他の操作画面に切替える画面切替ステップと、
他の操作画面に切替えた後に、所定の条件の成立を認識してメイン操作画面に遷移させる初期画面遷移ステップと、
を実行させることを特徴とする。
このプログラムに於いて、画面遷移ステップは、メイン操作画面から他の操作画面に切替えた時点からの経過時間を監視し、商品キーの操作を認識した場合は経過時間をリセットして最初から経過時間の監視を開始し、商品キーの操作なしに所定時間の経過を認識した場合にメイン操作画面に遷移させる。更に、画面遷移制御部は、経過時間の監視中に画面キーボードに対し別途設けられた物理キーボードによるキー操作を認識した際にメイン操作画面に遷移させる。
なお、これ以外の商品登録制御方法及びプログラムの詳細は、商品登録装置の場合と基本的に同じになる。
【図面の簡単な説明】図１は本発明が適用されたＰＯＳシステムの説明図；
図２は図１のＰＯＳシステムのハードウェア構成の説明図；
図３は本発明の実施形態となる機能構成のブロック図；
図４は本発明のＬＣＤパネルに表示したメイン操作画面の説明図；
図５はスキャナ入力によりメイン操作画面に遷移させる本発明の制御処理のフローチャート；
図６は商品キーの押下によりメイン操作画面に遷移させる本発明の制御処理のフローチャート；
図７は時間を監視してメイン操作画面に遷移させる本発明の制御処理のフローチャート；
図８は図７に続く制御処理のフローチャート；
図９は時間監視と物理キーの押下によりメイン操作画面に遷移させる本発明の制御処理のフローチャート；
図１０は図９に続く制御処理のフローチャート；
図１１は専用のセンサで所定の条件を検知してメイン操作画面に遷移させる本発明の他の実施形態による機能構成のブロック図；
図１２は商品のかごの移動を検出するセンサを設けたＰＯＳシステムの説明図；
図１３は商品のかごに入れた際の重量変化を検出する荷重センサを設けたＰＯＳシステムの説明図；
図１４はスキャナにチェッカーの動きを検出するセンサを設けたＰＯＳシステムの説明図；
図１５は専用のセンサによる条件検出でメイン操作画面に遷移させる本発明の制御処理のフローチャート；
【発明を実施するための最良の形態】  図１は、本発明の商品登録制御が適用されるＰＯＳシステムの説明図である。図１において、ＰＯＳシステムはＰＯＳデバイスユニット１０とＰＯＳ本体装置１２で構成されている。ＰＯＳデバイスユニット１０には電子多項目キーボード１４、スキャナユニット２２及び顧客表示器２４を備えている。電子多項目キーボード１４は４×８のテンキーを用いた物理キーボード１６とタッチパネルを画面上に配置したＬＣＤパネル２０で実現される画面キーボード１８を備えている。このようなＰＯＳデバイスユニット１０は店舗内のチェックアウトレーンに配置された机２８上に設置される。チェッカーは、利用者が購入する商品の入っている買い物かご３０−１からひとつずつ商品を取り出してスキャナユニット２２によりバーコードを読み取らせて商品登録するか、あるいは電子多項目キーボード１４における画面キーボード１８と物理キーボード１６を使用したキーボード入力により商品登録を行う。ＰＯＳ本体装置１２にはキャッシュレジスタを備えており、机２８に乗せられてＰＯＳデバイスユニット１０からの入力による商品登録に基づき商品の決済業務をオペレータが行う。
図２は、図１のＰＯＳシステムのハードウェア構成の説明図である。図２において、ＰＯＳ本体装置１２から電子多項目キーボード１４のＬＣＤパネル２０にＬＣＤ電源ケーブル３４が接続され、またＬＣＤパネル２０に画面表示を行うためＬＣＤケーブル３６が接続されている。ＬＣＤパネル２０の画面上にはタッチパネルが配置されており、このタッチパネルから物理キーボード１６側にタッチパネルケーブル３８が接続されている。物理キーボード１６の右側にはカードリーダ３２が設けられている。さらに物理キーボード１６からＰＯＳ本体装置１２に対しキーボードケーブル４０が接続されている。またスキャナユニット３０からＰＯＳ本体装置１２に対しスキャナケーブル４４が接続されると共に電子多項目キーボード１４側に対しスピーカケーブル４２を接続している。スピーカケーブル４２はスキャナユニット２２におけるバーコードの読取で電子多項目キーボード１４に内蔵しているスピーカからクリック音を出すようにしている。さらに電子多項目キーボード１４から顧客表示器２４に対しディスプレイケーブル４１が接続される。ここで電子多項目キーボード１４に設けている物理キーボード１６は４×８のテンキーを備えており、各キーには０〜９の数字「×」「−」「％」などの計算符号、さらに予め定められたファンクションキーが割当てられている。この場合のファンクションキーとしては個数キー、値引きキー、または修正キーなどがある。
図３は、本発明の商品登録制御の実施形態となる機能構成のブロック図である。図３において、ＰＯＳデバイスユニット１０側には図１に示したようにＬＣＤパネル２０とタッチパネル２５から構成される画面キーボード１８、物理キーボード１６、顧客表示器２４、カードリーダ３２及びスピーカ４６が設けられ、これらはデバイスインタフェース４８に接続され、デバイスインタフェース４８からＰＯＳ本体装置１２に接続されている。ＰＯＳ本体装置１２は本発明の商品登録装置としての機能を実現するものであり、デバイスインタフェース５０、商品登録処理部５２、表示制御部５４さらにサーバインタフェース５８で構成される。このうち表示制御部５４には本発明の商品登録処理を実行する画面遷移制御部５６を設けている。さらに商品のバーコード読取による商品登録を行うスキャナユニット２２が設けられ、スキャナユニット２２はＰＯＳ本体装置１２のデバイスインタフェース５０に接続され、またＰＯＳデバイスユニット１０にデバイスインタフェース４８を介してそのスピーカ４６に接続している。ＰＯＳ本体装置１２に設けた商品登録処理部５２は、ＰＯＳデバイスユニット１０またはスキャナユニット２２からの入力を監視しており、商品登録のための入力、すなわちスキャナユニット２２による商品のバーコードの読取入力、あるいは画面キーボード１８のＬＣＤパネル２０に表示される操作画面の商品キーの押下げを判別すると、この入力に伴って受信した商品コード情報に基づき、商品の登録処理を行い、同時に商品ごとに予め準備されている単価のデータベースを参照して、商品ごとの料金を計算して合計金額を顧客表示器２４側に表示し、オペレータによる料金支払いの清算処理が済むとレシートを発行することで一連の商品登録処理を終了する。
表示制御部５４は画面キーボード１８のＬＣＤパネル２０に対する操作画面の表示制御を行っている。表示制御部５４はＬＣＤパネル２０に図４に示すようなメイン操作画面を表示している。図４のメイン操作画面にあっては画面左隅に画面選択領域６０を設け、画面選択領域６０に基本画面選択ボタン６２−１に加え他の操作画面を選択するための画面選択ボタン６２−１〜６２−７を設けており、この実施形態にあっては画面選択ボタン６２−２，６２−３，６２−４が使用可能となっている。画面選択ボタン６２−１〜６２−４による選択画面は、図示の１画面目の基本画面に続いて２画面目は鮮魚干物の操作画面であり、３画面目では精肉操作画面であり、さらに４画面目はコロッケ・フライなどの惣菜の選択画面となっており、それぞれの操作画面が基本画面に加えて予め画面表示用のデータベースに準備されている。
図４のメイン操作画面に表示されている画面キーボード１８は、縦９個、横１０個の９×１０＝９０個の商品キーを配列しており、それぞれの商品キーには商品名と個数が表示されている。例えば左上隅の商品キーには「アスパラ１束」が表示されている。このようなメイン操作画面の商品キーには商品登録の頻度の高い商品の商品キーが配列されている。またＬＣＤパネル２０に表示するメイン操作画面及び他の操作画面の商品キーの情報はＰＯＳ本体装置１２に対し接続されているＰＯＳサーバ側で作成され、ＰＯＳ本体装置１２に転送されて表示制御部５４よりＬＣＤパネル２０に表示されている。
再び図３を参照するに、ＰＯＳ本体装置１２の表示制御部５４は初期状態において、図４に示したメイン操作画面をＬＣＤパネル２０に表示しており、商品登録の際にチェッカーが画面選択領域６０に設けているメイン操作画面の画面選択ボタン６２−１以外の画面操作キー６２−２〜６２−４を押すと、選択された操作画面を切替表示する。メイン操作画面以外の操作画面に切り替えられた後にあっては、メイン操作画面の画面選択ボタン６２−２を押下げると、再びメイン操作画面に戻すことができる。
本発明の商品登録制御にあっては、表示制御部５４の画面遷移制御部５６により、ＬＣＤパネル２０に図４のようなメイン操作画面を表示させると共に、画面選択領域６０に示すように画面選択キー６２−２〜６２−７を表示させ、画面選択キー６２−２〜６２−７の操作により、メイン操作画面から他の操作画面に切り替えた後、予め定められた所定の条件の成立を認識して、メイン操作画面に画面遷移させる。このためチェッカーはメイン操作画面から他の操作画面に切り替えた後、メイン操作画面に戻す操作をしなくとも自動的に元のメイン操作画面に画面遷移することになる。
このメイン操作画面に画面遷移させるための条件としては次に列挙するものがある。
（１）スキャナユニット２２のバーコード読取に基づくスキャナ入力による商品登録を認識してメイン操作画面に遷移させる。
（２）商品キーの押下げによる商品登録を認識してメイン操作画面に遷移させる。
（３）メイン操作画面以外の操作画面に切り替えた時の経過時間を監視し、商品キーの押下げが行われることなく所定の閾値時間以下に達したときにメイン操作画面に遷移させる。
（４）（３）の経過時間の監視によるメイン操作画面への遷移に加え、個数キー、値引きキーまたは修正キーなどの物理キーボードの操作を認識した時にメイン操作画面に遷移させる。
（５）メイン操作画面への遷移を必要とする所定の条件を専用のセンサで検出し、センサの条件検知によりメイン操作画面に遷移させる。
このような予め定めた所定の条件成立を認識してメイン操作画面に遷移させる画面遷移制御を含む本発明の商品登録処理の処理手順を以下に説明する。
図５は、スキャナ入力によりメイン操作画面に遷移させる本発明の制御処理のフローチャートである。図５において、ステップＳ１で初期状態としてのメイン操作画面の表示がＬＣＤパネル２０に行われており、ステップＳ２でＰＯＳデバイスユニット１０あるいはスキャナユニット２２からの入力の有無をチェックしている。ステップＳ２で入力有りが判別されるとステップＳ３に進み、画面選択キーの押下げが否かをチェックする。画面選択キーの押下げであればステップＳ４に進み、選択操作された操作画面の表示に切り替え、再びステップＳ２に戻る。メイン操作画面以外に切り替えた後に入力が判別され、ステップＳ３で画面選択キーの押下げでなかった場合にはステップＳ５でスキャナ入力か否かをチェックする。この時、チェッカーがスキャナユニット２２により商品のバーコード読取を行っていたとすると、スキャナ入力が判別され、ステップＳ６でスキャナ入力に基づく商品登録が行われる。続いてステップＳ７で締めキーの押下げの有無をチェックし、締めキーが押下げられていなければステップＳ１に戻り、メイン操作画面に遷移させる。即ちチェッカーが画面選択キーの操作でメイン操作画面以外の操作画面に切り替えた後にスキャナ入力を行うと、自動的にメイン操作画面に遷移することとなる。一方、ステップＳ５でスキャナ入力がなく、ステップＳ８で商品キーの押下げであると判別された場合は、商品キーの押下げに基づいてステップＳ９で商品登録が行われる。この場合にもステップＳ１０で締めキーの押下げがチェックされ、締めキーが押下げられていなければ再びステップＳ２に戻り次の入力を待つ。商品キーの押下げ、あるいはスキャナ入力による商品登録が行われた後に締めキーの押下げが行われると、これがステップＳ７もしくはステップＳ１０で判別され、ステップＳ１１でメイン操作画面への画面遷移が行われた後、ステップＳ１２で登録商品の合計金額に対する料金支払いを受ける清算処理を行った後、ステップＳ１３でレシートを発行して一連の商品登録処理を終了する。このような図５のスキャナ入力によりメイン操作画面に画面遷移させる制御処理によれば、チェッカーが画面キーボードでメイン操作画面から別の操作画面に画面選択キーの操作で切り替えて、商品キーによる商品登録を行った場合、その後にスキャナユニット２２に対するバーコードの読取によるスキャナ入力を行うと自動的にメイン操作画面に遷移が行われ、チェッカーがその後画面キーボードの商品キーから商品登録を行おうとする際に、必ずメイン操作画面に戻っていることからメイン操作画面に戻す画面選択キーの操作を必要とせず、チェッカーの操作を減らし商品登録の作業効率を上げることができる。
図６は、商品キーの押下げによりメイン操作画面に画面遷移させる本発明のフローチャートである。図６の商品キーの押下げによりメイン操作画面に遷移させる制御は、図５のスキャナ入力によりメイン操作画面に遷移させる制御におけるステップＳ５の「スキャナ入力か？」を「商品キー押下げか？」に置き換え、ステップＳ８の「商品キー押下げか？」を「スキャナキー入力か？」に置き換えた点が相違し、それ以外は図５のフローチャートと基本的に同じである。即ち、図６の商品キーの押下げによりメイン操作画面に遷移させる制御処理にあっては、ステップＳ１でメイン操作画面の初期表示が行われた状態で、ステップＳ２で入力有りが選択され、この入力がステップＳ３で画面選択キーの押下げであった場合には、ステップＳ４で選択操作されたメイン操作画面以外の操作画面に切り替える。この操作画面の切替後に、商品キーを押下げるとステップＳ５で商品キーの押下げが判別され、ステップＳ６で商品登録を行った後、ステップＳ７で締めキーの押下げがないことを条件にステップＳ１にもどり、ここでメイン操作画面の表示とする画面遷移が自動的に行われる。このため図６の制御処理にあってはチェッカーがメイン操作画面から別の操作画面に切替え、切替後の操作画面で商品キーの押下げによる商品登録を行うと元のメイン操作画面に遷移し、このためメイン操作画面から別の操作画面に切り替えても商品キー登録を行うと常に初期状態となるメイン操作画面に戻って、商品キーによる商品登録を行うことができる。
図７及び図８は、時間監視によりメイン操作画面に画面遷移させる本発明の制御処理のフローチャートである。図７において、ステップＳ１で初期状態としてメイン操作画面の表示が行われており、ステップＳ２で入力有りが判別されるとステップＳ３に進み、画面選択キーが押下げられるとステップＳ４に進み選択画面の表示を行う。この選択画面の表示と同時にステップＳ５でタイマカウントをスタートする。続いてステップＳ６でスキャナ入力があればステップＳ７で商品登録を行う。またメイン操作画面以外の操作画面に切り替えた状態で商品キーを押下げるとステップＳ８で商品キーの押下げが判別され、ステップＳ９で商品登録を行う。続いてステップＳ１０でメイン操作画面か否かチェックし、メイン操作画面でなければステップＳ１１で商品キーの押下げによる商品登録に基づきステップＳ５でスタートしたタイマカウントをリセットして再スタートする。続いて図８のステップＳ１２でタイマカウントの値が所定の閾値時間を越えたか否かをチェックする。この時、閾値時間を越えていた場合にはステップＳ１３に進み、メイン操作画面の表示に切り替える画面遷移を行う。閾値時間を越えていない場合にはステップＳ１３の処理をスキップし、メイン操作画面以外の操作画面の表示を継続する。ステップＳ１４にあっては締めキーの押下げをチェックしており、締めキーが押下げられるとステップＳ１５に進み、現在がメイン操作画面か否かをチェックし、メイン操作画面でなければステップＳ１６でメイン操作画面に遷移し、ステップＳ１７で商品登録した合計金額に対する料金支払いの清算処理を行った後、ステップＳ１８でレシートを発行する。このように本発明の制御処理にあっては、操作画面を切り替えてから商品キーの押下げが行われるまでの時間を統計的に求めて閾値時間に設定し、閾値時間になっても商品キーの押下げがないときには自動的にメイン操作画面に遷移させることになる。従って画面切替後の商品キーの入力を待つ閾値時間を適切に設定することで、チェッカーのタッチパネルに対する入力のタイミングを妨げないようにメイン操作画面に遷移させることが可能となる。またこの場合のメイン操作画面に遷移させるためのタイミングは、タイムアカウントの経過時間を判別する閾値時間を調整することで、例えばチェッカーの熟練度などに応じて最適な時間を設定できる利点がある。
図９及び図１０は、図７及び図８のフローチャートに示した時間監視に加え、物理キーの押下げにより操作画面に遷移させる本発明の制御処理のフローチャートである。図９及び図１０において、ステップＳ１〜Ｓ１８は図７の時間監視によりメイン操作画面に画面遷移させる制御処理と同じである。これに加えてステップＳ１９〜Ｓ２１の物理キーの操作によるメイン操作画面への画面遷移を新たに加えている。即ち、メイン操作画面から他の操作画面に切り替えて、ステップＳ５でタイマカウントをスタートした後、ステップＳ８で商品キーの押下げが無い場合にステップＳ１９に進み、物理キーの押下げをチェックする。このステップＳ１９で押下げが判別される物理キーとしては、図１の物理キーボード１６に設けている個数キー、値引きキーまたは修正キーなどを対象としており、これらいずれかの物理キーの押下げが行われるとステップＳ２０に進み、現在メイン操作画面か否かチェックし、メイン操作画面以外の別の操作画面であればステップＳ２１でメイン操作画面への遷移が行われる。このためチェッカーがメイン操作画面から他の操作画面に切り替えた商品キーの押下げによる商品登録を行った後、タイマカウントで監視している経過時間が閾値時間を越える前に個数キー、値引きキーまたは修正キーなどの物理キーの操作が行われると、その時点で自動的にメイン操作画面に画面遷移することになる。このように物理キーの押下げによるメイン操作画面への遷移を付加した分、切替時間の監視によるメイン操作画面の遷移に比べ、より適切なメイン操作画面への画面遷移を行わせることができる。
図１１は、専用のセンサによりメイン操作画面に画面遷移させる条件を検知する本発明の他の実施形態による機能構成のブロック図である。図１１において、ＰＯＳデバイスユニット１０側及びＰＯＳ本体装置１２は図３の実施形態と同じであり、スキャナユニット２２の同様である。これに加え、この実施形態にあってはＰＯＳ本体装置１２に対し新たにセンサ６４を設けている。センサ６４はＰＯＳデバイスユニット１０側におけるメイン操作画面から他の操作画面に切り替えた後のメイン操作画面に画面遷移させるための所定の条件を検出する。
図１２は、図１１のセンサ６４の具体例であり、この実施形態にあってはチェッカーが商品をかごに移す際の商品の移動を検出するセンサを設けたことを特徴とする。図１２において、チェックアウトレーンに配置されたＰＯＳデバイスユニット１０を用いたチェッカーによる商品登録の際には、利用者が商品を入れたかご３０−１から商品をチェッカーが取り出してスキャナユニット２２によるスキャナ入力あるいは画面キーボード１８の商品キーの操作による商品登録を行った後、反対側に置いたかご３０−２に商品を入れる。このようなチェッカーにおける商品登録の際のかご３０−１からかご３０−２の商品の移動につき、かご３０−２側に発信器６６と受信器６８で構成されるセンサを設置している。発信器６６と受信器６８はかご３０−２の上部の商品をいれる入り口の部分に設置されている。例えば発信器６６は発光素子であり、受信器６８は受光素子であり、発信機６６からの光束７０を受信器６８に入射しており、商品をかご３０−２にいれる際には光束７０が遮断されることで受信器６８で商品の通過を検知する。このような発信器６６と受信器６８によるセンサを用いることでかご３０−１からかご３０−２に対する商品の移動をセンサで検出し、これを図９のＰＯＳ本体装置１２にセンサ６４からの検出信号として入力し、このときメイン操作画面以外の操作画面に切り替えた状態であればメイン操作画面へ遷移させる。
図１３は、メイン操作画面への遷移を行わせるセンサ６４として、商品をかごに入れた際に重量変化を確認する荷重センサを設けたＰＯＳシステムの説明図である。図１３において、チェックアウトレーンに設置した机２６のＰＯＳデバイスユニット１０において、チェッカーはかご３０−１から商品を取り出して別のかご３０−２に商品を移しながら商品登録を行う。そこで、かご３０−２の配置位置に可動プレート７２を設置し、可動プレート７２の下に荷重センサ７４を設けている。このためチェッカーがスキャナユニット２２あるいは画面キーボード１８を用いて商品登録を行い、商品登録の済んだ商品をかご３０−２に入れると、かご３０−２の重量変化が荷重センサ７４で検出され、荷重センサ７４の検出信号が図１１のセンサ６４からの検出信号としてＰＯＳ本体制御装置１２の画面遷移制御部５６に与えられる。このとき画面キーボード１８がメイン操作画面以外の操作画面に切り替わっていれば、メイン操作画面に遷移させる。
図１４は、メイン操作画面に画面遷移させるためのセンサとしてスキャナユニット側にチェッカーの動きを検知するセンサを設けたＰＯＳシステムの説明図である。図１２において、チェックアウトレーンの机２６に設置されたＰＯＳデバイスユニット１０のスキャナユニット２２の部分には人体センサ７６が設置されている。人体センサ７６は前方に斜線で示す監視エリア７８を持っており、監視エリア７８にチェッカーが存在すれば人体検出信号を出力する。チェッカーがかご３０−１から商品を取り出してスキャナユニット２２あるいは画面キーボード１８により商品登録を行ってかご３０−２に移す作業を行う場合、かご３０−１から商品を取り出す時とかご３０−２に商品をいれる時にスキャナユニット２２の前から左側あるいは右側に体を動かす。このため人体センサ７６の監視エリア７８からチェッカーの体の部分が外れ、人体センサ７６の検出信号が断たれる非検出状態となる。そこで人体センサ７６のチェッカーの検出信号が断たれる非検出状態を図１１の画面遷移制御部５６で認識し、このとき画面キーボード１８がメイン操作画面以外の操作画面であれば、メイン操作画面に遷移させる。もちろん図１１のメイン操作画面に制御させるための条件を検出する専用のセンサとしては、図１２〜図１４のセンサに限定されず適宜のセンサとすることができる。
図１５は、図１１の専用のセンサ６４による条件検出でメイン操作画面に遷移させる本発明の制御処理のフローチャートである。図１５において、ステップＳ１で初期状態としてメイン操作画面を表示しており、ステップＳ２で入力が判別され、ステップＳ３で画面選択キーの押下げが判別されると、ステップＳ４で選択された操作画面を表示し、ステップＳ２に戻る。このようなメイン操作画面以外の操作画面に切り替える状態で商品キーの押下げがあると、ステップＳ９で商品キーの押下げが判別され、ステップＳ９で商品登録が行われる。またスキャナユニット２２により商品のバーコードの読取によるスキャナ入力があると、ステップＳ６でスキャナ入力が判別され、ステップＳ７で商品登録を行う。スキャナ入力もしくは商品キーの押下げがすむと、例えば図１２にあっては商品を買い物かご３０−２に入れることから、発信器６６と受信器６８からなるセンサで検出され、ステップＳ５でセンサによる条件検知が判別される。このためステップＳ５からステップＳ１に戻り、メイン操作画面へ遷移される。この点は図１３の荷重センサ７４を用いた場合、また図１４の人体センサ７６によるチェッカーの動きを検出する場合においても同じである。ステップＳ１０で商品登録がすんで締めキーの押下げが判別されると、ステップＳ１１でメイン操作画面の表示への画面遷移（画面切替が行われた場合のみ）を行った後、ステップＳ１２で商品登録による合計金額に対する支払いに対する清算処理を行った後、ステップＳ１３でレシートを発行し、一連の処理を終了する。
尚、本発明は上記の実施形態に限定されず、その目的と利点を損なうことのない適宜の変形を含む。また本発明は上記の実施形態に示した数値による限定は受けない。
【産業上の利用の可能性】
以上説明してきたように本発明によれば、メイン操作画面から別の操作画面に切り替えて商品キーの押下げ、あるいはスキャナ入力により商品登録を行った場合、予め定めた所定の条件が成立するとキー操作を必要とすることなくメイン操作画面に遷移する制御が行われ、チェッカーは操作画面を切り替えても元のメイン操作画面に戻す操作を必要とすることがなく、タッチパネルを備えた表示パネルの操作画面表示を行う画面キーボードによる商品登録の際のチェッカーの作業を減らし作業効率を上げることができる。またメイン操作画面に戻るための条件として、操作画面への切替状態でのスキャナ入力、商品キーの押下げ、経過時間の監視、物理キーの押下げ、あるいは専用センサによる条件検出を行うことで、切り替えた操作画面における商品キーの押下げによる商品登録が済んだ適切なタイミングでメイン操作画面に画面遷移させることができ、メイン操作画面と切り替えて別の操作画面を使用したチェッカーの画面キーボードを用いた商品登録操作のタイミングを妨げないようにメイン操作画面に戻す適切な画面遷移の制御ができる。
【図１】
2005006270.tif 000003
【図２】
2005006270.tif 000004
【図３】
2005006270.tif 000005
【図４】
2005006270.tif 000006
【図５】
2005006270.tif 000007
【図６】
2005006270.tif 000008
【図７】
2005006270.tif 000009
【図８】
2005006270.tif 000010
【図９】
2005006270.tif 000011
【図１０】
2005006270.tif 000012
【図１１】
2005006270.tif 000013
【図１２】
2005006270.tif 000014
【図１３】
2005006270.tif 000015
【図１４】
2005006270.tif 000016
【図１５】
2005006270.tif 000017
【国際調査報告】
2005006270.tif 000018
2005006270.tif 000019